(57)【要約】【課題】　光源を駆動するに際してリード線との位置ズレなどに起因し光源の点灯状態が安定しないことがあったため、本発明は、光源の点灯状態を安定させることを目的とする。【解決手段】　本発明は、表示器１の裏面に沿って配置する導光部材３と、この導光部材３の側面に光を照射する光源ユニット４と、導光部材３を収容する枠体５とを備え、光源ユニット４は、光源４１と、光源４１のリード線が配線されたプリント基板４４とで構成し、枠体５は導光部材３の側面位置に開口した空間５２を有し、空間５２内に光源ユニット４を位置決めして収容する。【選択図】　　図１
2004111402.tif 000002
【特許請求の範囲】
【請求項１】
　表示器の裏面に沿って配置する導光部材と、この導光部材の側面に光を照射する光源ユニットと、前記導光部材を収容する枠体とを備え、前記光源ユニットは光源と前記光源のリード線が配線されたプリント基板とで構成され、前記枠体は収容された前記導光部材の側方において開口する空間を有し、該空間内に前記光源ユニットが収容されることを特徴とする表示器。
【請求項２】
　表示器の裏面に沿って配置する導光部材と、この導光部材の側面に光を照射する光源ユニットと、前記導光部材を収容する枠体とを備え、前記光源ユニットは光源と前記光源のリード線が配線されたプリント基板とで構成され、前記枠体は収容された前記導光部材の側方において開口する空間を有し、該空間内に前記光源ユニットを位置決め固定する固定手段を有することを特徴とする表示器。
【請求項３】
　前記枠体は収容された前記導光部材の側方において、下向きに開口した空間を有していることを特徴とする請求項１または２に記載の表示器。
【請求項４】
　前記光源と前記プリント基板は一体化されていることを特徴とする請求項１から３の何れか１項に記載の表示器。
【発明の詳細な説明】
【技術分野】
【０００１】
　本発明は表示器に関し、特に表示器の照明装置に関する。
【背景技術】
【０００２】
　従来より照明装置が必要な表示器、例えば液晶表示装置においては、特許文献１に示されるように、液晶セルと、液晶セルの下方に配置された導光板や光源などからなる照明装置とを金属枠体を用いて支持収納し、いわゆるモジュールを構成していた。これらモジュールにおいては、照明装置を樹脂製枠によって別途収納し、その枠の上に液晶セルを重ねて金属枠に収納することにより、照明装置と液晶セルを独立して取り扱うことができるものが多い。
【特許文献１】特開平５−７２５１４号公報
【発明の開示】
【発明が解決しようとする課題】
【０００３】
　ところが、光源を駆動するに際してリード線との位置ズレなどに起因し光源の点灯状態が安定しないことがあった。
【０００４】
　そこで本発明は、光源の点灯状態を安定させることを目的とする。
【課題を解決するための手段】
【０００５】
　前記課題を解決するため、本発明は、表示器の裏面に沿って配置する導光部材と、この導光部材の側面に光を照射する光源ユニットと、前記導光部材を収容する枠体とを備え、前記光源ユニットは光源と前記光源のリード線が配線されたプリント基板とで構成され、前記枠体は収容された前記導光部材の側方において開口する空間を有し、該空間内に前記光源ユニットが収容されることを特徴とする。
【０００６】
　また本発明は、表示器の裏面に沿って配置する導光部材と、この導光部材の側面に光を照射する光源ユニットと、前記導光部材を収容する枠体とを備え、前記光源ユニットは光源と前記光源のリード線が配線されたプリント基板とで構成され、前記枠体は収容された前記導光部材の側方において開口する空間を有し、該空間内に前記光源ユニットを位置決め固定する固定手段を有することを特徴とする。
【０００７】
　さらには、　前記枠体は収容された前記導光部材の側方において、下向きに開口した空間を有していることを特徴とし、また前記光源と前記プリント基板は一体化されていることを特徴とする。
【発明の効果】
【０００８】
　本発明は上記構成により、光源の点灯状態を安定させることができる。また光源とこの光源のリード線が配線されたプリント基板とで光源ユニットを構成しているので、光源ユニットの着脱作業が容易となる。
【発明を実施するための最良の形態】
【０００９】
　図１、２は本発明実施例の照明装置を備える液晶表示装置の要部分解断面図、図３は同液晶表示装置の要部断面図である。図４は光源ユニットの断面図、図５は光源ユニットの要部正面図、図６は光源ユニットの要部背面図、図７はユニット固定用アングルの着脱状態を示す説明図である。図において、１は、例えば２枚の基板１１に挾持され偏光板１２を有したツイストネマティック型若しくはスーパーツイストネマティック型の液晶表示器（以下液晶セル）で、必要に応じて周辺に駆動素子とプリント基板１３が接続されており、駆動素子は例えば可撓性基板１４に半導体素子が固定されているテープオートメーティッドボンディング（ＴＡＢ）型のものである。液晶セル１の下には、必要に応じて、弾性のある緩衝材１５を配置してもよい。
【００１０】
　液晶セル１の下方には、照明装置２を配置している。照明装置２は、液晶セル１の裏面に沿って配置した導光板３と、この導光板３の側面に光を照射する光源ユニット４と、前記導光板３と前記光源ユニット４を位置決めして収容する例えば樹脂製の枠体５とを備える。導光板３は表面に光拡散板３１が、そして底面に反射シート３２と熱伝導率の良いアルミ薄板製の放熱板３３が配置されたアクリル樹脂などからなる光伝導性の平板からなる。光源ユニット４は、高周波駆動される冷陰極管や螢光灯からなる線状の光源４１と、断面Ｃ字状をなして光源４１を囲むように配置した熱伝導率が良く強度のある金属製、好ましくは肉厚が０．２ｍｍ以上のアルミ製の反射板４２と、樹脂成形品などで構成した支持部材４３と、光源４１のリード線を幅広に印刷配線したプリント基板４４と、耐熱柔軟性
のある例えばシリコンゴム製のリング状間隔子４５などによって構成している。枠体５は、導光板３を支える平面形状が略ロ字状をした上枠５１によって構成してもよいが、必要に応じて相互に係止手段を備える上枠５１と底枠（図示せず）などによって構成してもよい。
【００１１】
　次に、光源ユニット４について図４〜６を参照して詳しく説明する。支持部材４３の両端には、光源４１の両端を受け入れる円筒状の光源端子受入部４３１が一体的に設けられている。この光源端子受入部４３１は、光源４１の交換が容易なように、例えば、直菅型螢光灯において一般的に用いられている両端保持機構と同様に、光源端子側に弾性付勢された端子接続構造を内蔵することができる。
【００１２】
　なお、光源４１を光源ユニット４から取り外す必要がない場合は、光源４１の両端を、光源端子受入部４３１に一体に固定してもよいし、光源端子受入部４３１を設けることなく支持部材４３に直接固定してもよい。
【００１３】
　光源４１の外面適所には、前記導光板３並びに反射板４２との間に適度な間隔を形成するため、前記リング状間隔子４５を複数個配置している。反射板４２は、光源端子受入部４３１間に位置するように配置して支持部材４３の上面側に固定しているとともに、光源４１と向かい合う反射面に反射効率を高める銀蒸着処理を施しており、後述する反射シート５３とともに光源４１の周囲を囲む反射部材を構成している。
【００１４】
　プリント基板４４は、印刷配線された幅広リード線と光源４１との間隔を一定に保つために、支持部材４３の下面側に固定しており、短いリード線４３２によって前記光源端子受入部４３１と電気的な接続を行っている。このように、光源４１のリード線を幅広としてプリント基板４４に配線するとともに、プリント基板４４と光源４１を支持部材によって一体化して位置決めがなされているので、光源４１を高周波駆動するに際して、リード線の位置ズレなどに起因するインピーダンス不整合を防止することができ、光源４１の点灯状態を安定させることができる。また、支持部材４３には、光源ユニット４の位置決め固定に用いるために、後述するユニット固定用アングル７の係止爪７１を受け入れる係止孔４３３と、プリント基板１３の下端部を受け入れる係止爪４３４を形成している。
【００１５】
　液晶セル１を支え照明要素を収納する枠体５は、前記光源ユニット４をこの枠体５の裏側から着脱するため、下向きに開口した空間５２を前記導光板３の側方位置に形成している。また、上枠５１は液晶セル１と導光板３の間に位置するように構成され、導光板３の表面から放出された光を少なくとも液晶セル１の有効表示面に導くように略中央に透孔を有している。空間５２の上方に位置する上枠５１の裏面には、導光板３の側面上端縁と装着状態の反射板４２の上端縁を結ぶ範囲にわたって、反射シート５３を接着剤や両面テープなどの接着部材を用いて接着固定しており、導光板３の側面を除く光源４１の周囲を反射シート５３と反射板４２によって囲むようにしている。このように、光源４１を囲む反射部材を枠体５に固定した第１の反射部材としての反射シート５３と、着脱自在な光源ユニット４に固定した第２の反射部材としての反射板４２とで分割自在な構成としているので、反射効率を保ちつつ光源ユニット４の着脱を容易に行うことができるとともに、光源ユニット４を装着した際、反射板４２と導光板３の間に生じ得る隙間を反射シート５３によって確実に塞ぐことができる。
【００１６】
　６は、液晶セル１を覆う表面略長方形の金属枠で、表面の略中央部に液晶表示が観察できるように設けられた透孔６１を有し、側面適所には、枠体５、より好ましくは枠体５の底枠に係止する固定手段（図示せず）と、図７（ａ）〜（ｃ）に示すようにＬ形切欠き６２を有している。なお、これらの固定手段に加えて、枠体５や金属枠６には、更にビス等を固定補助手段として用いてもよい。
【００１７】
　７は、枠体５の空間５２に配置された光源ユニット４を固定する固定手段、並びに枠体５の底枠の一部を兼用する断面略Ｌ形のユニット固定用アングルで、支持部材４３の係止孔４３３に差し込まれる係止爪７１を底面部に、前記金属枠６のＬ形切欠き６２に案内されて係止される小突起７２を側面部に形成している。
【００１８】
　このような構成において、組立てに当っては、その間に導光板３を挟み込んだ状態の上枠５１と底枠を係止手段により固定し、枠体５を完成させる。次いで、枠体５の表面側に液晶セル１を重ね、周囲の駆動素子付き可撓性基板１４とプリント基板１３を液晶セル１の後側にほぼ直角に折り曲げ配置した後、その部分に断面Ｌ形アングル８を介在して金属枠６を被せる。そして、金属枠６の側面適所の固定手段によって金属枠６を枠体５に固定する（図１参照）。
【００１９】
　次いで、枠体５の空所５２に光源ユニット４を位置決めして配置し、その下方からユニット固定用アングル７を当てがう。ここで、光源ユニット４は、その光源４１のリード線のほとんどをプリント基板４４に印刷配線し、プリント基板４４を一体に組み込んでいるので、リード線が組立ての支障にならない。なお、光源ユニット４への電源供給は、必要に応じて着脱自在のコネクタ付きリード線などの電気的接続手段を介して行うようにすることができる。そしてユニット固定用アングル７を、その係止爪７１を支持部材４３の係止孔４３３に差し込み、次いで金属枠６の側面内側に側面部を当てがうようにして小突起７２を金属枠６の切欠き６２に沿って移動、すなわち、上方次いで横方向に移動させる（図７の（ａ）−（ｂ）−（ｃ）の順）ことによって、光源ユニット４の固定が行われる（
図３参照）。
【００２０】
　光源ユニット４の固定が行われると、反射板４２の下端が導光板３裏面の放熱板３３に当接するので、光源４１から発生する熱を熱伝導率の良い反射板４２と放熱板３３を介して均一化しつつ外部に効率よく放熱することができ、熱影響を受けやすい液晶セル１を光源４１による不均一加熱から保護することができる。また、反射板４２の上端が上枠５１裏側の反射シート５３に当接するので、この反射シート５３によって光の漏れを確実に防ぐことができる。
【００２１】
　次に、光源４１を交換する場合には、照明装置２、すなわち液晶表示装置の裏側から、固定用アングル７を横方向、次いで下方向に移動させる（図７の（ｃ）−（ｂ）−（ａ）の順）ことによって、小突起７２を金属枠６のＬ形切欠き６２から外すとともに、係止孔４３３から係止爪７１を抜き取ることによってユニット固定用アングル７の取り外しを行う（図２参照）。次いで、光源ユニット４を下方に移動させて空所５２から取り出し（図１参照）、必要に応じて電気的接続手段の接続を外す。そして、光源４１を支持部材４３の光源端子受入部４３１から取り外して交換する。ここで、新しい光源４１には、リング状間隔子４５を取り付けておく。なお、光源４１が光源ユニット４に一体に組み込まれていて取り外せない場合は、光源ユニット４全体を交換するようにすればよい。
【００２２】
　このような光源４１の交換作業において、液晶セル１、並びに導光板３は、金属枠６と枠体５とにより収納固定されているので、再び位置合わせをする必要がないばかりか、液晶セル１と導光板３の間に塵埃が混入することもない。表示装置にあっては表示面を注意深く観察されるので、そこに陰が現れたり異物そのものが観察されることにより著しく表示品位を低下させ、また、目立つものであるから、一度組み立てた表示装置の中に塵埃が混入しないことは極めて有用である。そして、光源４１の交換が終了した光源ユニット４は、上述したようにして照明装置２に組み込み固定される。
【００２３】
　このように、照明装置２を構成する枠体５、あるいは液晶表示装置を構成する金属枠６を分解することなく光源ユニット４のみを着脱できるので、光源４１の交換作業性を極めて高めることができる。
【００２４】
　なお、上述した照明装置２は、液晶表示装置のみならず、他の表示装置へ取り付けることもできる。
【図面の簡単な説明】
【００２５】
【図１】本発明実施例の照明装置を用いた液晶表示装置の要部分解断面図である。
【図２】同実施例の要部分解断面図である。
【図３】同実施例の要部断面図である。
【図４】同実施例の光源ユニットの断面図である。
【図５】同光源ユニットの要部正面図である。
【図６】同光源ユニットの要部背面図である。
【図７】（ａ）〜（ｃ）は、同実施例のユニット固定用アングルの着脱状態を示す説明図である。
【符号の説明】
【００２６】
１  　液晶セル
２  　照明装置
３  　導光板
３３  放熱板
４  　光源ユニット
４１  光源
４２  反射板
４３  支持部材
４４  プリント基板
４５  リング状間隔子
５  　枠体
５１  上枠
５２  空間
６　 金属枠
７  　ユニット固定用アングル
【図１】
2004111402.tif 000003
【図２】
2004111402.tif 000004
【図３】
2004111402.tif 000005
【図４】
2004111402.tif 000006
【図５】
2004111402.tif 000007
【図６】
2004111402.tif 000008
【図７】
2004111402.tif 000009